(57)【要約】      （修正有）【課題】ランニングコストが安く、簡易な構造で製造コストを低減させ且つ熱効率の良い木製チップや穀物などの乾燥装置を提供する。【解決手段】加熱装置２と、該加熱装置の排気口に連通された熱交換室３と、該熱交換室の上に設けられる乾燥室４と、該熱交換装置の前記熱交換室における排気口に連通される煙突５とで構成されており、前記熱交換室の天井部３ａは、中央部が盛り上がる円錐型の屋根形状もしくは山形形状である乾燥装置１とするものである。【選択図】図１
0003168352.tif 000002
【実用新案登録請求の範囲】
【請求項１】
加熱装置と、
該加熱装置の排気口に連通された熱交換室と、
該熱交換室の上に設けられる乾燥室と、
前記熱交換室における排気口に連通される煙突とで構成されており、
前記熱交換室の天井部は、中央が盛り上がる円錐型の屋根形状もしくは山形形状であること、
を特徴とする乾燥装置。
【請求項２】
煙突には、該煙突の排気を促進させる空気を供給する風供給装置が連結されていること、
を特徴とする請求項１に記載の乾燥装置。
【請求項３】
乾燥室は、乾燥対象物を攪拌させる攪拌装置が設けられていること、
を特徴とする請求項１または２に記載の乾燥装置。
【請求項４】
加熱装置には、金属製吊り下げ部材で吊り下げされたロストルが設けられていること、
を特徴とする請求項１乃至３のいずれかに記載の乾燥装置。
【考案の詳細な説明】
【技術分野】
【０００１】
本考案は、例えば、木材チップや穀物等を乾燥させる業務用の乾燥装置に関するものである。
【背景技術】
【０００２】
従来、木材チップや穀物等を小さく粉状にして、ペレットという固まった円筒状の固形物に加工する際、前記木材チップ等に水分が多いと固まらないので、必ず乾燥機にかけて水分が１７％以下にする必要があった。そのような乾燥装置としては、例えば、特許文献１に記載された乾燥機が知られている。
【先行技術文献】
【特許文献】
【０００３】
【特許文献１】特開平１１−１７３７５５号公報
【考案の概要】
【考案が解決しようとする課題】
【０００４】
しかし、従来の乾燥装置は、その乾燥用燃料やドラム回転などの駆動に電気と油を大量に使用し、ランニングコストが販売コストを上回るという課題がある。かかる木材チップなどをペレットにする産業は停滞しているのが現況である。本考案に係る乾燥装置は、このような課題を解決するために提案されたものである。
【課題を解決するための手段】
【０００５】
本考案に係る乾燥装置の上記課題を解決して目的を達成するための要旨は、加熱装置と、該加熱装置の排気口に連通された熱交換室と、該熱交換室の上に設けられる乾燥室と、前記熱交換室における排気口に連通される煙突とで構成されており、前記熱交換室の天井部が、円錐型の屋根形状もしくは山形形状であることである。
【０００６】
前記煙突には、該煙突の排気を促進させる空気を供給する風供給装置が連結されていること、
また、前記乾燥室は、乾燥対象物を攪拌させる攪拌装置が設けられていること、
前記加熱装置には、金属製吊り下げ部材で吊り下げされたロストルが設けられていること、を含むものである。
【考案の効果】
【０００７】
本考案の乾燥装置によれば、低コストで乾燥装置を製作することができて、さらに、熱効率の良い乾燥装置となるものである。煙突の排気が風供給装置で促進され、加熱装置の排気を促進する。乾燥室の攪拌装置により、穀物などの乾燥対象物が効率的に乾燥する。更に、加熱装置には、金属製吊り下げ部材で吊り下げされたロストルが設けられているので、灰がたまっても前記ロストルを振動させて、容易に灰を下に落とすことができる。
【図面の簡単な説明】
【０００８】
【図１】本考案に係る乾燥装置１の概略構成を示す縦断面図である。
【図２】同本考案に係る乾燥装置１の概略構成を示す斜視図である。
【考案を実施するための形態】
【０００９】
本考案に係る乾燥装置１は、熱交換室の天井を、中央が盛り上がった円錐型もしくは山形の形状にすることで、熱交換率を高め乾燥を効率的に行うものである。
【実施例１】
【００１０】
前記乾燥装置１は、図１および図２に示すように、加熱装置２と、該加熱装置２の排気口に連通された熱交換室３と、該熱交換室３の上に設けられる乾燥室４と、該熱交換装置の前記熱交換室３における排気口に連通される煙突５とで構成されており、前記熱交換室３の天井部３ａが、中央が盛り上がる円錐型の屋根形状である。これにより、熱で乾燥室４の底床（天井部３ａでもある）が変形しても、形状を一定に保つことができる。更に、排気ガスの熱が中央部に溜まり、熱が外に簡単に逃げだしてしまうことが防止され、乾燥対象物を熱効率良く乾燥させるものである。
【００１１】
前記加熱装置２は、ボイラーであり、その大きさは、直径の寸法を１として高さを２としている。これにより、カロリーの低いものであっても、気流ができて火力が持続できるものである。また、前記加熱装置２には、金属製のチェーン・ワイヤー等である吊り下げ部材２ａで、３〜４箇所で吊り下げされたロストル（火格子）２ｂが設けられている。これにより、前記ロストル２ｂの上に燃料の灰が多量に積み重なっても、前記吊り下げ部材２ａを軽く振動させるだけで、灰を下に落とすことができる。
【００１２】
前記煙突５には、該煙突５の排気を促進させる空気を供給する風供給装置６が連結されている。この風供給装置６のファンを回転させて風を煙突５に送ることで、前記熱交換室３の排気ガスが煙突５に吸い込まれて、排気作用が促進され、加熱装置２の燃焼も勢いが良くなる。
【００１３】
前記乾燥室４は、チップや穀物等の乾燥対象物を乾燥させる室であり、上部開口に蓋４ａが設けられる。そして、乾燥対象物の乾燥を早めるために、当該乾燥対象物を攪拌させる攪拌装置７が設けられている。この攪拌装置７は、３枚〜４枚の複数枚の攪拌羽根７ａを駆動用のモーター７ｂと該モーター７ｂに連結された駆動軸７ｃによって、時計方向若しくは反時計方向に回転されるものである。
【００１４】
前記攪拌羽根７ａは、熱交換室３の天井部３ａの上面に摺設させながら、若しくは、天井部３ａの上面と前期攪拌羽根７ａの下面との間に若干の隙間を有して回転するので、当該天井部３ａの傾斜した形状に沿った形状に前記攪拌羽根７ａが形成されるものである。
【００１５】
前記攪拌装置７により、乾燥対象物が前後・上下で混じりあいながら攪拌され、乾燥対象物同士若しくは乾燥対象物と天井部３ａとの間で、熱交換が良く行われて、乾燥対象物の乾燥が促進される。
【産業上の利用可能性】
【００１６】
本考案に係る乾燥装置は、木材チップや穀物に限らず、他の農産物や工業資材などの乾燥に適用することができるものである。
【符号の説明】
【００１７】
１          乾燥装置、
２          加熱装置、                ２ａ      吊り下げ部材、
２ｂ          ロストル、
３          熱交換室、                ３ａ      円錐型又は山形の天井部、
４          乾燥室、                  ４ａ          蓋、
５          煙突、  
６          風供給装置、            
７          攪拌装置、                ７ａ      攪拌羽根。
【図１】
0003168352.tif 000003
【図２】
0003168352.tif 000004